(57)【要約】【課題】作業員の作業実績に基づいて、作業員の技能を管理する。【解決手段】技能管理システムは、作業員位置送信装置２ａと技能管理装置１を備える。作業員位置送信装置２ａは、作業員の位置する作業エリアＩＤを取得し、作業員ＩＤと作業エリアＩＤとを含む作業員位置データを送信する。技能管理装置１は、作業員位置データを受信すると、時刻に関連づけてメモリに記憶するとともに、所定のタイミングで、作業員ＩＤおよび作業エリアＩＤで関連づけられる時刻から、作業員の作業エリアにおける作業時間を算出して、作業員ＩＤ、作業エリアＩＤおよび作業時間を関連づけた作業時間データを記憶する作業員位置データ取得手段と、作業時間データに記憶された作業エリアＩＤを作業ＩＤに変換するとともに、作業時間データの作業時間に基づいて、作業員データの作業員ＩＤおよび作業ＩＤに関連づけられた実績時間を更新する作業時間更新手段とを備える。【選択図】図１
2010097490.tif 000002
【特許請求の範囲】
【請求項１】
作業員の作業実績に基づいて、前記作業員の技能を管理する技能管理システムであって、
前記作業員の位置する作業エリアＩＤを取得し、前記作業員ＩＤと前記作業エリアＩＤとを含む作業員位置データを送信する作業員位置送信装置と、
前記作業員位置送信装置から受信した作業員位置データに基づいて、前記作業員の作業実績を管理する技能管理装置を備え、
前記技能管理装置は、
前記作業員ＩＤと、前記作業員が作業可能な作業の作業ＩＤと、を関連づけた作業員データを記憶装置に記憶する作業員データ記憶手段と、
前記作業員が作業する作業エリアの作業エリアＩＤと、前記作業ＩＤと、を関連づけた作業エリアデータを前記記憶装置に記憶する作業エリアデータ記憶手段と、
前記作業員位置送信装置から前記作業員位置データを受信すると、受信した作業員位置データを時刻に関連づけて前記記憶装置に記憶するとともに、所定のタイミングで、前記作業員ＩＤおよび前記作業エリアＩＤで関連づけられる時刻から、該作業員の該作業エリアにおける作業時間を算出して、前記作業員ＩＤ、前記作業エリアＩＤおよび前記作業時間を関連づけた作業時間データを前記記憶装置に記憶する作業員位置データ取得手段と、
前記記憶装置から前記作業員データおよび前記作業エリアデータを読み出して、前記作業時間データに記憶された前記作業エリアＩＤを前記作業ＩＤに変換するとともに、前記作業時間データの作業時間に基づいて、前記作業員データの該作業員ＩＤおよび該作業ＩＤに関連づけられた実績時間を更新する作業時間更新手段
とを備えることを特徴とする技能管理システム。
【請求項２】
前記作業エリアデータは、さらに、作業エリアＩＤおよび前記作業ＩＤに、前記作業エリアで作業をする際の資格の要否を示す資格要否フラグを関連づけており、
前記作業員データの前記作業ＩＤは、前記作業員が有している資格に関する作業の作業ＩＤであって、
前記作業時間更新手段は、前記作業エリアデータにおいて前記作業エリアＩＤおよび前記作業ＩＤに関連づけられた前記資格要否フラグが要の場合に、前記作業時間データの作業時間に基づいて、前記作業員データの該作業員ＩＤおよび該作業ＩＤに関連づけられた実績時間を更新する
ことを特徴とする請求項１に記載の技能管理システム。
【請求項３】
前記技能管理装置はさらに、
計画された作業の予定日時と、前記作業者ＩＤと、前記作業ＩＤと、前記作業時間と、を関連付けた工程実施計画データを前記記憶装置に記憶する工程実施計画データ記憶手段を更に備え、
前記作業時間更新手段は、前記記憶装置からさらに前記工程実施計画データを読み出し、前記工程実施計画データの前記作業員ＩＤ、前記作業ＩＤおよび作業時間と、前記作業時間データの前記作業員ＩＤ、前記作業ＩＤおよび作業時間とが一致する場合に、前記作業時間データの作業時間に基づいて、前記作業員データの該作業員ＩＤおよび該作業ＩＤに関連づけられた実績時間を更新する
ことを特徴とする請求項１または２に記載の技能管理システム。
【請求項４】
前記作業員位置送信装置は、
前記作業エリアのチェックポイントに設けられたＩＣタグ読取器が、前記作業員が前記チェックポイントを通過する際に、前記作業員の作業員ＩＤが記憶され前記作業員が携帯するＩＣタグから読み取った前記作業員ＩＤと、前記作業エリアＩＤと関連づけた前記作業員位置データを、前記技能管理装置に送信する装置である
ことを特徴とする請求項１ないし３のいずれか１項に記載の技能管理システム。
【請求項５】
前記作業員位置送信装置は、
複数の地上局が、前記作業員の作業員ＩＤが記憶され前記作業員が携帯するＩＣタグから発信された電波を受信し、前記複数の地上局が前記ＩＣタグと通信した時間から算出した前記作業員の位置と、前記作業員ＩＤとに基づいて、前記作業員位置データを前記技能管理装置に送信する装置である
ことを特徴とする請求項１ないし３のいずれか１項に記載の技能管理システム。
【請求項６】
前記作業員位置送信装置は、
複数の地上局が、前記作業員の作業員ＩＤが記憶され前記作業員が携帯するＩＣタグの情報を定期的に読み取り、前記ＩＣタグの情報を読み取った地上局の位置と、前記ＩＣタグから読み取った前記作業員ＩＤとに基づいて、前記作業員位置データを前記技能管理装置に送信する装置である
ことを特徴とする請求項１ないし３のいずれか１項に記載の技能管理システム。
【請求項７】
作業員の作業実績に基づいて、前記作業員の技能を管理する技能管理装置であって、
前記作業員ＩＤと、前記作業員が作業可能な作業の作業ＩＤと、を関連づけた作業員データを記憶装置に記憶する作業員データ記憶手段と、
前記作業員が作業する作業エリアの作業エリアＩＤと、前記作業ＩＤと、を関連づけた作業エリアデータを前記記憶装置に記憶する作業エリアデータ記憶手段と、
前記作業員の位置する作業エリアＩＤを取得し、前記作業員ＩＤと前記作業エリアＩＤとを含む作業員位置データを送信する作業員位置送信装置から、前記作業員位置データを受信すると、受信した作業員位置データを時刻に関連づけて前記記憶装置に記憶するとともに、所定のタイミングで、前記作業員ＩＤおよび前記作業エリアＩＤで関連づけられる時刻から、該作業員の該作業エリアにおける作業時間を算出して、前記作業員ＩＤ、前記作業エリアＩＤおよび前記作業時間を関連づけた作業時間データを前記記憶装置に記憶する作業員位置データ取得手段と、
前記記憶装置から前記作業員データおよび前記作業エリアデータを読み出して、前記作業時間データに記憶された前記作業エリアＩＤを前記作業ＩＤに変換するとともに、前記作業時間データの作業時間に基づいて、前記作業員データの該作業員ＩＤおよび該作業ＩＤに関連づけられた実績時間を更新する作業時間更新手段
とを備えることを特徴とする技能管理装置。
【請求項８】
前記作業エリアデータは、さらに、作業エリアＩＤおよび前記作業ＩＤに、前記作業エリアで作業をする際の資格の要否を示す資格要否フラグを関連づけており、
前記作業員データの前記作業ＩＤは、前記作業員が有している資格に関する作業の作業ＩＤであって、
前記作業時間更新手段は、前記作業エリアデータにおいて前記作業エリアＩＤおよび前記作業ＩＤに関連づけられた前記資格要否フラグが要の場合に、前記作業時間データの作業時間に基づいて、前記作業員データの該作業員ＩＤおよび該作業ＩＤに関連づけられた実績時間を更新する
ことを特徴とする請求項７に記載の技能管理装置。
【請求項９】
計画された作業の予定日時と、前記作業者ＩＤと、前記作業ＩＤと、前記作業時間と、を関連付けた工程実施計画データを前記記憶装置に記憶する工程実施計画データ記憶手段を更に備え、
前記作業時間更新手段は、前記記憶装置からさらに前記工程実施計画データを読み出し、前記工程実施計画データの前記作業員ＩＤ、前記作業ＩＤおよび作業時間と、前記作業時間データの前記作業員ＩＤ、前記作業ＩＤおよび作業時間とが一致する場合に、前記作業時間データの作業時間に基づいて、前記作業員データの該作業員ＩＤおよび該作業ＩＤに関連づけられた実績時間を更新する
ことを特徴とする請求項７または８に記載の技能管理装置。
【請求項１０】
作業員の作業実績に基づいて、前記作業員の技能を管理する技能管理装置であって、
前記作業員ＩＤと、前記作業員が作業可能な作業の作業ＩＤと、を関連づけた作業員データを記憶装置に記憶する作業員データ記憶手段と、
前記作業員が作業する作業エリアの作業エリアＩＤと、前記作業ＩＤと、を関連づけた作業エリアデータを前記記憶装置に記憶する作業エリアデータ記憶手段と、
前記作業員の位置する作業エリアＩＤを取得し、前記作業員ＩＤと前記作業エリアＩＤとを含む作業員位置データを送信する作業員位置送信装置から、前記作業員位置データを受信すると、受信した作業員位置データを時刻に関連づけて前記記憶装置に記憶するとともに、所定のタイミングで、前記作業員ＩＤおよび前記作業エリアＩＤで関連づけられる時刻から、該作業員の該作業エリアにおける作業時間を算出して、前記作業員ＩＤ、前記作業エリアＩＤおよび前記作業時間を関連づけた作業時間データを前記記憶装置に記憶する作業員位置データ取得手段と、
前記記憶装置から前記作業員データおよび前記作業エリアデータを読み出して、前記作業時間データに記憶された前記作業エリアＩＤを前記作業ＩＤに変換するとともに、前記作業時間データの作業時間に基づいて、前記作業員データの該作業員ＩＤおよび該作業ＩＤに関連づけられた実績時間を更新する作業時間更新手段
とをコンピュータに機能させることを特徴とする技能管理プログラム。
【請求項１１】
前記作業エリアデータは、さらに、作業エリアＩＤおよび前記作業ＩＤに、前記作業エリアで作業をする際の資格の要否を示す資格要否フラグを関連づけており、
前記作業員データの前記作業ＩＤは、前記作業員が有している資格に関する作業の作業ＩＤであって、
前記作業時間更新手段は、前記作業エリアデータにおいて前記作業エリアＩＤおよび前記作業ＩＤに関連づけられた前記資格要否フラグが要の場合に、前記作業時間データの作業時間に基づいて、前記作業員データの該作業員ＩＤおよび該作業ＩＤに関連づけられた実績時間を更新する
ことを特徴とする請求項１０に記載の技能管理プログラム。
【請求項１２】
計画された作業の予定日時と、前記作業者ＩＤと、前記作業ＩＤと、前記作業時間と、を関連付けた工程実施計画データを前記記憶装置に記憶する工程実施計画データ記憶手段を更に前記コンピュータに機能させ、
前記作業時間更新手段は、前記記憶装置からさらに前記工程実施計画データを読み出し、前記工程実施計画データの前記作業員ＩＤ、前記作業ＩＤおよび作業時間と、前記作業時間データの前記作業員ＩＤ、前記作業ＩＤおよび作業時間とが一致する場合に、前記作業時間データの作業時間に基づいて、前記作業員データの該作業員ＩＤおよび該作業ＩＤに関連づけられた実績時間を更新する
ことを特徴とする請求項１０または１１に記載の技能管理プログラム。
【発明の詳細な説明】
【技術分野】
【０００１】
本発明は、作業員の作業実績に基づいて、作業員の技能を管理する技能管理システム、技能管理装置および技能管理プログラムに関する。
【背景技術】
【０００２】
品質確保およびコンプライアンスの観点から、製造に携わる人員を厳密に管理する必要がある。特に、原子力、電力プラント、航空エンジン等、製造に特殊な技能を要する部門においては、各作業毎に資格が設けられており、有資格者のみが作業できる場合も少なくはない。
【０００３】
このような作業者が有している資格の管理において、表計算ソフトなどを用いる方法がある。この方法では、各作業員の保有する資格を表計算ソフトに登録する。作業の実施計画立案時には、この表計算ソフトを参照して、有資格作業が発生する工程に、作業員を割り当てる。
【０００４】
たとえば、人材価値情報を収集して、事業目的に合致した人材の発掘を容易にするシステムがある（例えば特許文献１参照。）。この特許文献１に記載の方法では、収集した人材価値情報を第三者が利用しやすい形で蓄積して、人的財産を有効に利用することができる。
【０００５】
また、無資格者の作業を中止する指示を出せるシステムもある（例えば特許文献２参照。）。特許文献２に記載の方法では、作業者が通過した際に、作業者が携帯するタグとコントローラが通信をし、資格がないことが判明すると、作業中止指示を出力する。この特許文献２に記載の方法では、タグに作業者のＩＤ、年齢、視覚情報等が記憶されている。
【特許文献１】特開２００３−４４６３３号公報
【特許文献２】特開２００６−２３５８０２号公報
【発明の開示】
【発明が解決しようとする課題】
【０００６】
しかしながら、表計算ソフトを用いる方法では、作業員を適切に配置できない可能性がある。例えば、実際の作業においては、作業員の資格の有無のみではなく、実際の技量やキャリアなどを考慮して作業員を配置する必要がある。しかし、表計算ソフトでは、各作業員の技量やキャリアが考慮されておらず、作業に必要とされる技量と、作業員の技量とに差が生じる場合がある。この結果、特定のベテランの作業員のみに作業が割り当てることになり、若手の作業員に作業の機会を与えづらくしてしまう場合がある。また、資格を保有するものの経験が未熟な作業者に、難易の高い作業を割り当てる場合もある。
【０００７】
このように、従来の表計算ソフトを用いる方法においては、作業員を適切に配置できない場合があった。
【０００８】
また上述した特許文献１に記載の方法では、ユーザのスキルや行動情報を、ユーザが入力することになる。従って、ユーザに入力の手間が生じたり、データの客観性が低くなってしまう問題がある。
【０００９】
また上述した特許文献２に記載の方法では、資格がない場合に作業を中止する指示を出せるが、その作業の実績を管理するには不向きである。
【００１０】
このように、作業員を適切に配置し、作業員の実績を管理することのできるシステムの開発が期待されている。
【００１１】
従って本発明の目的は、作業員を適切に配置し、作業員の実績を管理することのできる技能管理システム、技能管理装置および技能管理プログラムを提供することである。
【課題を解決するための手段】
【００１２】
上記課題を解決するために、本発明の第１の特徴は、作業員の作業実績に基づいて、記作業員の技能を管理する技能管理システムに関する。即ち本発明の第１の特徴に係る技能管理システムは、作業員の位置する作業エリアＩＤを取得し、作業員ＩＤと作業エリアＩＤとを含む作業員位置データを送信する作業員位置送信装置と、作業員位置送信装置から受信した作業員位置データに基づいて、作業員の作業実績を管理する技能管理装置を備える。技能管理装置は、作業員ＩＤと、作業員が作業可能な作業の作業ＩＤと、を関連づけた作業員データを記憶装置に記憶する作業員データ記憶手段と、作業員が作業する作業エリアの作業エリアＩＤと、作業ＩＤと、を関連づけた作業エリアデータを記憶装置に記憶する作業エリアデータ記憶手段と、作業員位置送信装置から作業員位置データを受信すると、受信した作業員位置データを時刻に関連づけて記憶装置に記憶するとともに、所定のタイミングで、作業員ＩＤおよび作業エリアＩＤで関連づけられる時刻から、該作業員の該作業エリアにおける作業時間を算出して、作業員ＩＤ、作業エリアＩＤおよび作業時間を関連づけた作業時間データを記憶装置に記憶する作業員位置データ取得手段と、記憶装置から作業員データおよび作業エリアデータを読み出して、作業時間データに記憶された作業エリアＩＤを作業ＩＤに変換するとともに、作業時間データの作業時間に基づいて、作業員データの該作業員ＩＤおよび該作業ＩＤに関連づけられた実績時間を更新する作業時間更新手段とを備える。
【００１３】
このような本発明によれば、特定の業務を特定の作業者に頼ることなくバランス良く作業員の配置を計画することができ、品質の安定を期待することができる。また、作業者の経験値を上げるための計画も立案可能になり、ベテラン退職後なども品質を安定的に保つことが期待できる。さらに、作業者自身が、有資格作業に従事した時間を定量的に把握することができるので、技術向上のモチベーションを期待することができる。
【００１４】
ここで作業エリアデータは、さらに、作業エリアＩＤおよび作業ＩＤに、作業エリアで作業をする際の資格の要否を示す資格要否フラグを関連づけて居ても良い。この場合、作業員データの作業ＩＤは、作業員が有している資格に関する作業の作業ＩＤであって、作業時間更新手段は、作業エリアデータにおいて作業エリアＩＤおよび作業ＩＤに関連づけられた資格要否フラグが要の場合に、作業時間データの作業時間に基づいて、作業員データの該作業員ＩＤおよび該作業ＩＤに関連づけられた実績時間を更新する。
【００１５】
第１の特徴に係る技能管理装置はさらに、計画された作業の予定日時と、作業者ＩＤと、作業ＩＤと、作業時間と、を関連付けた工程実施計画データを記憶装置に記憶する工程実施計画データ記憶手段を更に備えても良い。この場合、作業時間更新手段は、記憶装置からさらに工程実施計画データを読み出し、工程実施計画データの作業員ＩＤ、作業ＩＤおよび作業時間と、作業時間データの作業員ＩＤ、作業ＩＤおよび作業時間とが一致する場合に、作業時間データの作業時間に基づいて、作業員データの該作業員ＩＤおよび該作業ＩＤに関連づけられた実績時間を更新する。
【００１６】
このような本発明によれば、作業員が位置する作業エリアと、工程実施計画データと、作業員の有資格に基づいて、作業員の実績データを収集する。実際の現場においては、他の作業の進捗等を考慮して、各作業者は臨機応変に作業順序を入れ替えながら対応するので、工程実施計画データを日単位で設定すると計画に対してイレギュラーな動きも想定されるが、工程実施計画データを数ヶ月に設定して実績データを収集することにより、工程実施計画データと実績データとが一致したデータを収集することができる。
【００１７】
ここで作業員位置送信装置は、作業エリアのチェックポイントに設けられたＩＣタグ読取器が、作業員がチェックポイントを通過する際に、作業員の作業員ＩＤが記憶され作業員が携帯するＩＣタグから読み取った作業員ＩＤと、作業エリアＩＤと関連づけた作業員位置データを、技能管理装置に送信する装置であっても良い。
【００１８】
また作業員位置送信装置は、複数の地上局が、作業員の作業員ＩＤが記憶され作業員が携帯するＩＣタグから発信された電波を受信し、複数の地上局がＩＣタグと通信した時間から算出した作業員の位置と、作業員ＩＤとに基づいて、作業員位置データを技能管理装置に送信する装置で会っても良い。
【００１９】
また作業員位置送信装置は、複数の地上局が、作業員の作業員ＩＤが記憶され作業員が携帯するＩＣタグの情報を定期的に読み取り、ＩＣタグの情報を読み取った地上局の位置と、ＩＣタグから読み取った作業員ＩＤとに基づいて、作業員位置データを技能管理装置に送信する装置であっても良い。
【００２０】
本発明の第２の特徴は、作業員の作業実績に基づいて、作業員の技能を管理する技能管理装置に関する。即ち本発明の第２の特徴に係る技能管理装置は、作業員ＩＤと、作業員が作業可能な作業の作業ＩＤと、を関連づけた作業員データを記憶装置に記憶する作業員データ記憶手段と、作業員が作業する作業エリアの作業エリアＩＤと、作業ＩＤと、を関連づけた作業エリアデータを記憶装置に記憶する作業エリアデータ記憶手段と、作業員の位置する作業エリアＩＤを取得し、作業員ＩＤと作業エリアＩＤとを含む作業員位置データを送信する作業員位置送信装置から、作業員位置データを受信すると、受信した作業員位置データを時刻に関連づけて記憶装置に記憶するとともに、所定のタイミングで、作業員ＩＤおよび作業エリアＩＤで関連づけられる時刻から、該作業員の該作業エリアにおける作業時間を算出して、作業員ＩＤ、作業エリアＩＤおよび作業時間を関連づけた作業時間データを記憶装置に記憶する作業員位置データ取得手段と、記憶装置から作業員データおよび作業エリアデータを読み出して、作業時間データに記憶された作業エリアＩＤを作業ＩＤに変換するとともに、作業時間データの作業時間に基づいて、作業員データの該作業員ＩＤおよび該作業ＩＤに関連づけられた実績時間を更新する作業時間更新手段とを備える。
【００２１】
ここで、作業エリアデータは、さらに、作業エリアＩＤおよび作業ＩＤに、作業エリアで作業をする際の資格の要否を示す資格要否フラグを関連づけていても良い。この場合、作業員データの作業ＩＤは、作業員が有している資格に関する作業の作業ＩＤであって、作業時間更新手段は、作業エリアデータにおいて作業エリアＩＤおよび作業ＩＤに関連づけられた資格要否フラグが要の場合に、作業時間データの作業時間に基づいて、作業員データの該作業員ＩＤおよび該作業ＩＤに関連づけられた実績時間を更新する。
【００２２】
第２の特徴に係る技能管理装置はさらに、計画された作業の予定日時と、作業者ＩＤと、作業ＩＤと、作業時間と、を関連付けた工程実施計画データを記憶装置に記憶する工程実施計画データ記憶手段を更に備えても良い。この場合、作業時間更新手段は、記憶装置からさらに工程実施計画データを読み出し、工程実施計画データの作業員ＩＤ、作業ＩＤおよび作業時間と、作業時間データの作業員ＩＤ、作業ＩＤおよび作業時間とが一致する場合に、作業時間データの作業時間に基づいて、作業員データの該作業員ＩＤおよび該作業ＩＤに関連づけられた実績時間を更新する。
【００２３】
本発明の第３の特徴は、作業員の作業実績に基づいて、作業員の技能を管理する技能管理プログラムに関する。即ち本発明の第３の特徴に係る技能管理プログラムは、作業員ＩＤと、作業員が作業可能な作業の作業ＩＤと、を関連づけた作業員データを記憶装置に記憶する作業員データ記憶手段と、作業員が作業する作業エリアの作業エリアＩＤと、作業ＩＤと、を関連づけた作業エリアデータを記憶装置に記憶する作業エリアデータ記憶手段と、作業員の位置する作業エリアＩＤを取得し、作業員ＩＤと作業エリアＩＤとを含む作業員位置データを送信する作業員位置送信装置から、作業員位置データを受信すると、受信した作業員位置データを時刻に関連づけて記憶装置に記憶するとともに、所定のタイミングで、作業員ＩＤおよび作業エリアＩＤで関連づけられる時刻から、該作業員の該作業エリアにおける作業時間を算出して、作業員ＩＤ、作業エリアＩＤおよび作業時間を関連づけた作業時間データを記憶装置に記憶する作業員位置データ取得手段と、記憶装置から作業員データおよび作業エリアデータを読み出して、作業時間データに記憶された作業エリアＩＤを作業ＩＤに変換するとともに、作業時間データの作業時間に基づいて、作業員データの該作業員ＩＤおよび該作業ＩＤに関連づけられた実績時間を更新する作業時間更新手段とをコンピュータに機能させる。
【００２４】
ここで、作業エリアデータは、さらに、作業エリアＩＤおよび作業ＩＤに、作業エリアで作業をする際の資格の要否を示す資格要否フラグを関連づけていても良い。この場合、作業員データの作業ＩＤは、作業員が有している資格に関する作業の作業ＩＤであって、作業時間更新手段は、作業エリアデータにおいて作業エリアＩＤおよび作業ＩＤに関連づけられた資格要否フラグが要の場合に、作業時間データの作業時間に基づいて、作業員データの該作業員ＩＤおよび該作業ＩＤに関連づけられた実績時間を更新する。
【００２５】
第３の特徴に係る技能管理プログラムはさらに、計画された作業の予定日時と、作業者ＩＤと、作業ＩＤと、作業時間と、を関連付けた工程実施計画データを記憶装置に記憶する工程実施計画データ記憶手段を更にコンピュータに機能させても良い。この場合、作業時間更新手段は、記憶装置からさらに工程実施計画データを読み出し、工程実施計画データの作業員ＩＤ、作業ＩＤおよび作業時間と、作業時間データの作業員ＩＤ、作業ＩＤおよび作業時間とが一致する場合に、作業時間データの作業時間に基づいて、作業員データの該作業員ＩＤおよび該作業ＩＤに関連づけられた実績時間を更新する。
【発明の効果】
【００２６】
本発明によれば、作業員を適切に配置し、作業員の実績を管理することのできる技能管理システム、技能管理装置および技能管理プログラムを提供することができる。
【発明を実施するための最良の形態】
【００２７】
次に、図面を参照して、本発明の実施の形態を説明する。以下の図面の記載において、同一又は類似の部分には同一又は類似の符号を付している。
【００２８】
（最良の実施の形態）
（技能管理システム１０）
本発明の最良の実施の形態に係る技能管理システム１０は、作業員の作業実績に基づいて、作業員の技能を管理するシステムである。図１に示すように技能管理システム１０は、技能管理装置１、作業員位置送信装置２ａ、２ｂ、２ｃ…等を備えている。技能管理装置１と作業員位置送信装置２ａ等は、ＬＡＮ等の通信ネットワークによって、接続されている。本願の最良の実施の形態においては、技能管理装置１と作業員位置送信装置２ａ等は、相互に接続される必要はなく、技能管理装置１が、作業員位置送信装置２ａ、２ｂ、２ｃ…のそれぞれから、作業員位置データを取得できれば良い。
【００２９】
（作業員位置送信装置）
作業員位置送信装置２ａ、２ｂ、２ｃ…は、作業員の位置する作業エリアＩＤを取得し、作業員ＩＤと、作業エリアＩＤとを含む作業員位置データを、技能管理装置１に送信する装置である。作業員位置データには、そのデータを取得した時刻が含まれていても良い。作業員位置送信装置２ａは、作業員の作業エリアを識別できるような位置に設置されている。作業員位置送信装置２ａは、例えば、作業エリアＡに設けられている。同様に、作業員位置送信装置２ｂは作業エリアＢに設けられ、作業員位置送信装置２ｃは作業エリアＣに設けられる。
【００３０】
本発明の最良の実施の形態においては、作業員は、作業員ＩＤが記憶されたＩＣタグを携帯している。作業員位置送信装置２ａ、２ｂ、２ｃ…は、作業員が携帯しているＩＣタグから作業員ＩＤを取得し、その作業員位置送信装置２ａ、２ｂ、２ｃ…が設置された位置を識別する情報とともに、技能管理装置１に送信する。ＩＣタグは、固有ＩＤを格納しており、無線通信することができるので、作業者が意識することなく、所在情報を収集することができる。ここで、本願の最良の実施の形態においては、ＩＣタグを用いる場合について説明するが、ＩＣカードを使って入退室管理をしても良い。
【００３１】
図２ないし図４を参照して、作業員位置送信装置の具体的な例を説明する。
【００３２】
図２は、ゲート方式と呼ばれる方法を示した図である。図２（ａ）は、各作業エリアのチェックポイントに設けられたゲート５１の一例である。このゲート５１は、図２（ｂ）に示すように、ＩＣタグ読取器５２を備えている。このゲート５１は、作業エリアの入り口に設けられることが好ましい。ＩＣタグ読取器５２には、入室可能な一つの作業エリアＩＤが対応づけられている。このゲート５１を作業者が通過すると、ＩＣタグ読取器５２は、作業員が携帯するＩＣタグから読み取り、作業員位置送信装置２ａ等は、作業員ＩＤを、作業エリアＩＤと関連づけた作業員位置データを、技能管理装置１に送信する。ゲート方式によれば、有資格作業が特定の作業室などに限定される場合に有効な方法である。
【００３３】
作業員位置送信装置２ａは、ＩＣタグ読取器５２の識別子と作業員ＩＤのみを技能管理装置１に送信し、技能管理装置１がＩＣタグ読取器５２の識別子を作業エリアＩＤに変換しても良い。図２に示すゲート方式によれば、ＩＣタグ読取器５２がＩＣタグを検出するたびに、その情報を取得する。
【００３４】
図２に示すゲート方式によれば、ＩＣタグを接近させたり接触させる等の動作が不要になるため、各作業員の動作を意識することなく、ＩＣタグから情報を収集することができる。ここで、ゲート方式を採用する場合、作業エリア毎にゲートを設ける必要があるので、コストが高くなる場合がある。また、全ての作業員のＩＣタグから確実に情報を収集できるように作業員のタグの取り付け方法等に工夫する必要がある。
【００３５】
図３は、アクティブタグ方式と呼ばれる方法を示した図である。アクティブタグ方式では、ＩＣタグが電波を発信している。複数の地上局（例えば、地上局６１ａ、６１ｂ、６１ｃ、６１ｄ）が、作業員が携帯するＩＣタグから発信された電波を受信する。作業員位置送信装置２ａ等は、複数の地上局がＩＣタグと通信した時間から算出した作業員の位置と、作業員ＩＤとに基づいて、作業員位置データを技能管理装置１に送信する。これによれば、技能管理装置１は、リアルタイムで各作業員の位置を把握することができる。
【００３６】
ここで、作業員位置送信装置２ａが送信する作業員の位置は、Ｘ方向およびＹ方向の座標情報から作業エリアＩＤに変換した情報であっても良い。また作業員位置送信装置２ａ等が作業員の位置を座標情報のまま送信して、技能管理装置１が座標情報を作業エリアＩＤに変換しても良い。図３に示すアクティブタグ方式によれば、一定時間間隔で、作業員位置を取得するのが好ましい。
【００３７】
図３に示すアクティブタグ方式によれば、複数の地上局から得た情報をもとに作業員の位置を算出するので、位置算出精度が高く、作業員の動線を追跡するレベルで作業員の位置を把握することができる。しかし一般的にアクティブタグ方式に用いられるＩＣタグは大きく寿命が比較的短い問題がある。
【００３８】
図４は、電波ポーリング方式と呼ばれる方法を示した図である。電波ポーリング方式では、一つの作業エリアに一つ以上の固定位置のアンテナ７１（地上局）が設けられている。アンテナ７１は、作業員が携帯するＩＣタグの情報を定期的に読み取る。作業員位置送信装置２ａ等は、ＩＣタグの情報を読み取ったアンテナ７１の位置と、ＩＣタグから読み取った作業員ＩＤとに基づいて、作業員位置データを１技能管理装置１に送信する。これによれば、部屋のような閉じた空間でなくても作業場所がある領域に絞り込める場合に有効である。
【００３９】
ここで、作業員位置送信装置２ａ等がアンテナ７１の位置情報を作業エリアＩＤに変換して技能管理装置１に送信しても良い。また作業位置送信装置２ａ等が固定位置のアンテナ７１の位置情報そのものを送信して、技能管理装置１がアンテナ７１の位置情報を作業エリアＩＤに変換しても良い。図４に示す電波ポーリング方式によれば、一定時間間隔で、作業員位置を取得するのが好ましい。
【００４０】
図４に示す電波ポーリング方式によれば、作業員の位置を確認するとともに、作業員の滞留時間も測定することができる。しかし、作業エリアが増えるとコストが高くなってしまう場合がある。また、全ての作業員のＩＣタグから確実に情報を収集できるように作業員のタグの取り付け方法等に工夫する必要がある。
【００４１】
作業位置送信装置２ａの一例として図２ないし図４を参照して説明したが、これらの例には限られない。技能管理装置１が、作業員の位置と作業員ＩＤを把握できるのであれば、どのような形式でも良い。また、作業員位置送信装置２ａは、作業員位置を取得する度に作業員位置データを技能管理装置１に送信しても良いし、例えば一日一度のバッチ処理で送信しても良い。
【００４２】
（技能管理装置）
技能管理装置１は、作業員位置送信装置２ａ等から受信した作業員位置データに基づいて、作業員の作業実績を管理する装置である。
【００４３】
図５に示すように、本発明の最良の実施の形態に係る技能管理装置１は、中央処理制御装置１０１、ＲＯＭ（Read Only Memory）１０２、ＲＡＭ（Random Access Memory）１０３及び入出力インタフェース１０９が、バス１１０を介して接続されている。入出力インタフェース１０９には、入力装置１０４、表示装置１０５、通信制御装置１０６、記憶装置１０７及びリムーバブルディスク１０８が接続されている。
【００４４】
中央処理制御装置１０１は、入力装置１０４からの入力信号に基づいてＲＯＭ１０２から技能管理装置１を起動するためのブートプログラムを読み出して実行し、更に記憶装置１０７に記憶されたオペレーティングシステムを読み出す。更に中央処理制御装置１０１は、入力装置１０４や通信制御装置１０６などの入力信号に基づいて、各種装置の制御を行ったり、ＲＡＭ１０３や記憶装置１０７などに記憶されたプログラム及びデータを読み出してＲＡＭ１０３にロードするとともに、ＲＡＭ１０３から読み出されたプログラムのコマンドに基づいて、データの計算又は加工など、後述する一連の処理を実現する処理装置である。
【００４５】
入力装置１０４は、操作者が各種の操作を入力するキーボード、マウスなどの入力デバイスにより構成されており、操作者の操作に基づいて入力信号を作成し、入出力インタフェース１０９及びバス１１０を介して中央処理制御装置１０１に送信される。表示装置１０５は、ＣＲＴ（Cathode Ray Tube）ディスプレイや液晶ディスプレイなどであり、中央処理制御装置１０１からバス１１０及び入出力インタフェース１０９を介して表示装置１０５において表示させる出力信号を受信し、例えば中央処理制御装置１０１の処理結果などを表示する装置である。通信制御装置１０６は、ＬＡＮカードやモデムなどの装置であり、技能管理装置１をインターネットやＬＡＮなどの通信ネットワークに接続する装置である。通信制御装置１０６を介して通信ネットワークと送受信したデータは入力信号又は出力信号として、入出力インタフェース１０９及びバス１１０を介して中央処理制御装置１０１に送受信される。本発明の最良の実施の形態において通信制御装置１０６は特に、作業員位置送信装置２ａ、２ｂ、２ｃ…から送信された作業員位置データを受信するインタフェースである。
【００４６】
記憶装置１０７は半導体記憶装置や磁気ディスク装置であって、中央処理制御装置１０１で実行されるプログラムやデータが記憶されている。リムーバブルディスク１０８は、光ディスクやフレキシブルディスクのことであり、ディスクドライブによって読み書きされた信号は、入出力インタフェース１０９及びバス１１０を介して中央処理制御装置１０１に送受信される。
【００４７】
本発明の最良の実施の形態に係る技能管理装置１の記憶装置１０７には、技能管理プログラムが記憶されるとともに、作業時間データ記憶部２１、作業エリアデータ記憶部２２、工程実施計画データ記憶部２３、作業員データ記憶部２４および技能管理データ記憶部２５を備える。また、技能管理プログラムが技能管理装置１の中央処理制御装置１０１に読み込まれ実行されることによって、作業員位置データ取得手段１１および作業時間更新手段１２が技能管理装置１の中央処理制御装置１０１に実装される。
【００４８】
作業時間データ記憶部２１は、作業時間データ２１ａが記憶された記憶部である。作業員位置データ取得手段１１が、作業員位置データから作業時間データ２１ａを生成して、記憶装置１０７の作業時間データ記憶部２１に、作業時間データ２１ａを記憶する。作業時間データ２１ａは、作業員位置送信装置２ａから送信された作業員位置データに基づいて、作業員が作業エリアにいた時間を集計したデータである。
【００４９】
作業時間データ２１ａは、例えば図６に示すデータ構造およびデータの一例を備える。作業時間データ２１ａは、作業者ＩＤおよび作業エリアＩＤをキーとして、その作業者がその作業エリアにいた時間を対応づけている。例えば図６に示す例では、作業者ＩＤ「１」の作業者が、作業エリアＩＤ「作業エリアＢ」の作業エリアに、「８：３０〜８：４０」にいたことを示している。図６に示す例では、時間のみ記載しているが、年月日も併せて記載しても良いのは勿論である。
【００５０】
作業エリアデータ記憶部２２は、作業エリアデータ２２ａが記憶された記憶部である。作業エリアデータ記憶手段（図示せず）が、記憶装置１０７の作業エリアデータ記憶部２２に、作業エリアデータ２２ａを記憶する。
【００５１】
図７に示すように、作業エリアデータ２２ａは、作業員が作業する作業エリアＩＤをキーとして、その作業エリアで実施される作業の作業ＩＤ、および作業エリアで作業をする際の資格の要否を示す資格要否フラグが関連づけられている。本発明の最良の実施の形態においては、作業エリアＩＤと作業ＩＤとが１対１で対応づけられている。作業エリアデータ２２ａには、本発明の最良の実施の形態に係る技能管理装置１が対象とする全ての作業エリアについて、作業ＩＤおよび資格要否フラグが関連づけられていることが好ましい。
【００５２】
工程実施計画データ記憶部２３は、工程実施計画データ２３ａが記憶された記憶部である。工程実施計画データ記憶手段（図示せず）が、記憶装置１０７の工程実施計画データ記憶部２３に、工程実施計画データ２３ａを記憶する。
【００５３】
図８に示すように、工程実施計画データ２３ａは、計画された作業の実施予定日、作業を実施する作業者の作業者ＩＤ、作業者が実施する作業の作業ＩＤおよび作業時間が関連づけられている。図８に示す例では、作業時間は、「９：００〜１２：００」等の作業時間の最初と最後を特定する形式で記載したが、「３時間」等の形式で作業時間のみを記載しても良い。また、図８に示す例では、日単位で工程実施計画データ２３ａを作成したが、週単位、月単位、数ヶ月単位で作成しても良い。
【００５４】
作業員データ記憶部２４は、作業員データ２４ａが記憶された記憶部である。作業員データ記憶手段（図示せず）が、記憶装置１０７の作業員データ記憶部２４に、作業員データ２４ａを記憶する。
【００５５】
図９に示すように、作業員データ２４ａは、作業員ＩＤと、作業員が作業可能な作業の作業ＩＤと、が関連づけられている。本発明の最良の実施の形態において、作業ＩＤは、作業者が資格を有している作業ＩＤを示すが、資格を有していない作業についても適用可能である。作業員データ２４ａには更に、作業者がその作業をする際の資格を有している場合に、その資格の有効期限と、その作業を実施した実績時間とが関連づけられている。実績時間は、後述するように、本願発明の最良の実施の形態に係る技能管理装置１によって、作業員の位置データに基づいて更新される。
【００５６】
技能管理データ記憶部２５は、技能管理データ２５ａを記憶した記憶部である。作業時間更新手段１２が、記憶装置１０７の技能管理データ記憶部２５に、技能管理データ２５ａを記憶する。
【００５７】
図１０に示すように、技能管理データは、作業のあった日時、作業者ＩＤ、作業ＩＤ、作業時間および実績時間が関連づけられている。ここで「作業時間」は、その日時に、その作業者ＩＤの作業者が、その作業ＩＤの作業をした時間で、「実績時間」は、その作業者ＩＤの作業者が、その作業ＩＤの作業をした合計時間である。例えば、前日までの作業時間が７５時間で、当日に３時間作業した場合、「作業時間」には「３時間」と記載され、「実績時間」には「７８時間」と記載される。
【００５８】
作業員位置データ取得手段１１は、通信制御装置１０６を介して作業員位置送信装置２ａ等から作業員位置データを受信すると、受信した作業員位置データを時刻に関連づけてまたは記憶装置１０７等に記憶する。さらに作業員位置データ取得手段１１は、所定のタイミングで、作業員ＩＤおよび作業エリアＩＤで関連づけられる時刻から、作業員の作業エリアにおける作業時間を算出する。さらに作業員位置データ取得手段１１は、作業員ＩＤ、作業エリアＩＤおよび作業時間を関連づけた作業時間データ２１ａを記憶装置１０７の作業時間データ記憶部２１に記憶する。
【００５９】
作業員位置データ取得手段１１は、作業員位置送信装置２ａ等から受信した作業員位置データにおいて、作業エリアＩＤが含まれておらず、作業員の位置情報が含まれている場合、その作業員の位置情報を、作業エリアＩＤに変換する。このとき作業員位置データ取得手段は、作業エリアＩＤと、その作業エリアの位置情報が対応づけられたデータを参照するのが好ましい。
【００６０】
作業員位置データ取得手段１１が、作業員の作業エリアにおける作業時間を算出する方法は、どのように作業員の位置を取得するか等によって、さまざまな方法が考えられる。
【００６１】
例えば、図２に示したゲート方式では、ある作業員が、ゲートが設けられた作業エリアに入室した時刻と、退室した時刻とを抽出し、その差分を作業時間をして算出する方法が考えられる。また、図３にアクティブタグ方式では、作業員の移動を追跡して、各作業エリアに滞在した時間を作業時間として算出する方法が考えられる。図４に示した電波ポーリング方式では、アンテナ７１がＩＣタグ５０と通信していた時間を、アンテナ７１が設置された作業エリアにおける作業時間として算出する方法が考えられる。
【００６２】
このように、作業時間の算出方法においては、作業員の位置を取得する方法と併せて、様々な例が考えられる。
【００６３】
次に図１１を参照して、本発明の最良の実施の形態に係る作業員位置データ取得手段１１による作業員位置データ取得処理を説明する。
【００６４】
まずステップＳ１０１において、作業員位置データ取得手段１１は、作業員位置送信装置２ａ等から、作業員位置データの取得を待機する。作業員位置データを取得すると、ステップＳ１０２において、作業員位置データに含まれる作業員ＩＤ、作業エリアＩＤ、および時刻を関連づけて、ステップＳ１０３で、記憶装置１０７等のメモリに記憶する。ステップＳ１０２において関連づける時刻は、作業員位置データに含まれている時刻である。リアルタイムで作業員位置データを取得する場合、技能管理装置１の作業員位置データ取得手段１１が作業員位置データを取得した時刻を、ステップＳ１０２で関連づけても良い。
【００６５】
ステップＳ１０１ないしステップＳ１０３の処理は、作業時間データ２１ａを作成するタイミングが到達するまで繰り返される。ここで、作業時間データ２１ａは、１日１回、１週間に１回など、定期的に実施されるのが好ましい。
【００６６】
次に、作業時間データ２１ａを作成する処理を説明する。ここでは、１日１回作業時間データ２１ａを生成する場合について説明する。各作業員ＩＤおよび作業エリアＩＤについて、ステップＳ１０５ないしステップＳ１０８の処理が繰り返される。
【００６７】
まずステップＳ１０５において作業員位置データ取得手段１１は、ステップＳ１０３で記憶したメモリから、作業員ＩＤおよび作業員エリアＩＤをキーに、作業時刻を抽出して、ステップＳ１０６において作業時間を算出する。例えば、作業員ＩＤ「１」の作業員が、作業エリアＩＤ「作業エリアＢ」の作業エリアに、８：３０に入室し、８：４０に退室している場合、ステップＳ１０６において、作業時間「８：３０〜８：４０」と算出する。
【００６８】
次にステップＳ１０７において作業員位置データ取得手段１１は、作業員ＩＤ、作業エリアＩＤおよび作業時間とを関連づけて、ステップＳ１０８において作業時間データに挿入する。例えば、作業員ＩＤ「１」、作業エリアＩＤ「作業エリアＢ」、および作業時間「８：３０〜８：４０」と関連づけて、図６にしめすように、作業時間データ２１ａに挿入する。
【００６９】
メモリに記憶された全ての作業員位置データについて、ステップＳ１０５ないしステップＳ１０８の処理が終了すると、作業員位置データ取得処理を終了する。
【００７０】
上記の処理により、作業員位置データ取得手段１１は、作業員位置送信装置２ａ等から取得した作業員位置データから、各作業員が、各作業時間にいた時間を把握することができる。
【００７１】
作業時間更新手段１２は、記憶装置１０７から作業員データ２４ａおよび作業エリアデータ２２ａを読み出して、作業時間データ２１ａに記憶された作業エリアＩＤを作業ＩＤに変換する。さらに作業時間更新手段１２は、作業時間データ２１ａの作業時間に基づいて、作業員データ２４ａの作業員ＩＤおよび作業ＩＤに関連づけられた作業時間を更新する。
【００７２】
ここで作業時間更新手段１２は、作業エリアデータ２２ａにおいて作業エリアＩＤおよび作業ＩＤに関連づけられた資格要否フラグが要の場合に、作業時間データ２２ａの作業時間を、作業員データ２４ａの作業員ＩＤおよび作業ＩＤに関連づけられた作業時間を更新することが好ましい。ここで、本発明の最良の実施の形態に係る作業時間更新手段１２は、有資格の作業員が、その資格を要する作業をする作業エリアに入った場合、その有資格を使った作業をしていると判断している。これにより、有資格作業についての実績のみを、適切に判断することができる。
【００７３】
また、作業時間更新手段１２は、記憶装置１０７からさらに工程実施計画データ２３ａを読み出し、工程実施計画データ２３ａの作業員ＩＤ、作業ＩＤおよび作業時間と、作業時間データの作業員ＩＤ、作業ＩＤおよび作業時間とが一致する場合に、作業時間データ２１ａの作業時間を、作業員データ２４ａの該作業員ＩＤおよび該作業ＩＤに関連づけて記憶することが好ましい。これにより、工程実施計画外でその作業エリアに入ったとしても、作業の準備や確認等で入室したものとみなされ、実績時間の対象外として処理することができる。
【００７４】
さらに、作業時間更新手段１２は、作業員の実績時間に基づいて、技能管理データ２５ａを生成し、記憶装置１０７の技能管理データ記憶部２５に記憶する。作業時間更新手段１２は、作業のあった日時、作業者ＩＤ、作業ＩＤ、作業時間および更新後の実績時間を関連づけて、技能管理データ２５ａを生成する。
【００７５】
本発明の最良の実施の形態においては、作業者が、その作業エリアでの作業の有資格者である場合で、工程実施計画の範囲内である場合のみに、実績時間の対象とすることにしたが、このいずれかの条件のみで実績時間の対象としても良いし、その他の条件を付加して実績時間の対象としても良い。
【００７６】
次に図１２を参照して、本発明の最良の実施の形態に係る作業時間更新手段１２による作業時間更新処理を説明する。
【００７７】
まずステップＳ２０１において作業時間更新手段１２は、記憶装置１０７から作業時間データ２１ａを読み出す。作業時間データ２１ａの各レコードについて、ステップＳ２０１ないしステップＳ２０８の処理を繰り返す。ステップＳ２０２ないしステップＳ２０８の例においては、作業時間データ２１ａのうち、作業者ＩＤ「１」、作業エリアＩＤ「作業エリアＣ」および作業時間「９：００〜１２：００」の場合について説明する。また、図６に示す作業時間データ２１ａにおいては、全て同じ日（○月×日）の作業に関する作業時間データである。
【００７８】
ステップＳ２０２において作業時間更新手段１２は、記憶装置１０７から作業エリアデータ２２ａを読み出し、作業時間データ２１ａの作業エリアＩＤに対応する作業ＩＤと、資格要否フラグを抽出する。例えば、作業時間データ２１ａの作業者ＩＤ「１」、作業エリアＩＤ「作業エリアＣ」、作業時間「９：００〜１２：００」について処理する場合、作業エリアデータ２２ａを読み出して、作業エリアＩＤ「作業エリアＣ」に対応する作業ＩＤ「作業Ｃ」と、資格要否フラグが「要」とを抽出する。
【００７９】
つぎにステップＳ２０３において作業時間更新手段１２は、ステップＳ２０２で取得した資格要否フラグが「要」であるかを判断する。「要」でない場合、そのまま処理を終了し、作業時間データ２１ａの次のレコードについて処理する。
【００８０】
資格要否フラグが「要」の場合、ステップＳ２０４において作業時間更新手段１２は、記憶装置１０７から工程実施計画データ２３ａを読み出し、作業時間データ２１ａの作業日、作業者ＩＤおよび作業時間に対応する作業ＩＤを抽出する。ここでは作業時間更新手段１２は、作業日「○月×日」、作業者ＩＤ「１」および作業時間「９：００〜１２：００」に対応する作業ＩＤ「作業Ｃ」を抽出する。
【００８１】
さらに、ステップＳ２０５において作業時間更新手段１２は、ステップＳ２０２で抽出した作業ＩＤと、ステップＳ２０４で抽出した作業ＩＤが一致しているかを判断する。一致している場合、ステップＳ２０６に進み、一致していない場合、そのまま処理を終了し、作業時間データ２１ａの次のレコードについて処理する。
【００８２】
ここでは、作業時間更新手段１２は、ステップＳ２０２において作業ＩＤ「作業Ｃ」を抽出するとともに、ステップＳ２０４において作業ＩＤ「作業Ｃ」を取得する。この場合、作業ＩＤは一致するので、ステップＳ２０６に進む。
【００８３】
ステップＳ２０６において作業時間更新手段１２は、記憶装置１０７から作業員データ２４ａを読み出して、作業者ＩＤおよび作業ＩＤに対応するレコードを抽出し、ステップＳ２０７で、そのようなレコードがあったか否かを判断する。ここでは、作業者ＩＤ「１」および作業ＩＤ「作業Ｃ」に対応するレコードを抽出する。図９に示す例では、作業者ＩＤ「１」および作業ＩＤ「作業Ｃ」に対応するレコードがあるので、ステップＳ２０８に進む。一方、レコードがない場合、そのまま処理を終了し、作業時間データ２１ａの次のレコードについて処理する。
【００８４】
ステップＳ２０８において作業時間更新手段１２は、作業員データ２４ａの作業者ＩＤおよび作業ＩＤに対応する実績時間に、作業時間を加算する。
【００８５】
作業時間データ２１ａの全てのレコードについてステップＳ２０２ないしステップＳ２０８の処理が終了すると、ステップＳ２０９において作業時間更新手段１２は、技能管理データ２５ａを作成して、記憶装置１０７の技能管理データ記憶部２５に記憶する。
【００８６】
このように、本発明の最良の実施の形態においては、作業者が移動した場合であっても、工程実施計画外での移動である場合は、実績時間にカウントしない。また、作業者が移動したエリアが資格を要するエリアである場合に、作業者がその作業エリアに対応する資格を有していない場合にも、実績時間としてカウントしない。これにより、より精度高く、実績時間をカウントすることができる。
【００８７】
次に、図１３および図１４を参照して、具体的に説明する。図１３および図１４においては、作業員の動線を取得可能な方法で、作業員の位置データを取得した場合の例を説明している。
【００８８】
図１３および図１４に示す例において、本発明の最良の実施の形態に係る技能管理装置１は、作業エリアＡないし作業エリアＦを有している。作業エリアＡでは、作業Ａを実施し、この実施については資格は不要である。作業エリアＢでは、作業Ｂを実施し、この実施については資格は必要である。作業エリアＣでは、作業Ｃを実施し、この実施については資格は必要である。作業エリアＤでは、作業Ｄを実施し、この実施については資格は必要である。作業エリアＥでは、作業Ｅを実施し、この実施については資格は不要である。作業エリアＦでは、作業Ｆを実施し、この実施については資格は不要である。
【００８９】
作業者ＩＤ「１」の作業者は、図６に示す作業時間データ２１ａに示すとおり、（１）「８：３０」〜「８：４０」の間に、作業エリアＢに立ち寄る。その後、作業者ＩＤ「１」の作業者は、（２）「９：００〜１２：００」の間に、作業エリアＣで作業する。さらに作業者ＩＤ「１」の作業者は、（３）「１３：００〜１４：５０」の間に、作業エリアＥで作業する。さらに作業者ＩＤ「１」の作業者は、（４）「１５：００〜１７：００」の間に作業エリアＤで作業する。
【００９０】
上記（１）について、当該時間に作業エリアＢに入ることは、図８に示す工程実施計画データ２３ａには含まれていないので、打ち合わせや確認等で出向いただけと判断され、作業の実績時間としてはみなされない。
【００９１】
上記（２）について、当該時間に作業エリアＣに入ることは、図８に示す工程実施計画データ２３ａに含まれている。また、作業エリアＣにおける作業Ｃは、図７に示す作業エリアデータ２２ａによると資格要否フラグが「要」になっているので、資格を要する作業である。さらに、図９に示す作業員データ２４ａによれば、作業ＩＤ「１」の作業員は、作業Ｃについての資格を有している。従って、上記（２）について、作業者ＩＤ「１」の作業者の作業Ｃの作業についての実績時間とみなし、実績時間を加算する。
【００９２】
上記（３）について、当該時間に作業エリアＥに入ることは、図８に示す工程実施計画データ２３ａに含まれている。しかし、作業エリアＥにおける作業Ｅは、図７に示す作業エリアデータ２２ａによると資格要否フラグが「不要」になっているので、資格が必要な作業に対する実績時間とはみなされない。
【００９３】
上記（４）について、当該時間に作業エリアＤに入ることは、図８に示す工程実施計画データ２３ａに含まれている。また、作業エリアＤにおける作業Ｄは、図７に示す作業エリアデータ２２ａによると資格要否フラグが「要」になっているので、資格を要する作業である。さらに、図９に示す作業員データ２４ａによれば、作業ＩＤ「１」の作業員は、作業Ｄについての資格を有していないので、資格が必要な作業に対する実績時間とはみなされない。
【００９４】
次に図１５を参照して、作業時間更新手段１２が出力した技能管理データ２５ａに基づいて表示装置に表示される、有資格作業従事記録表示画面Ｐ１０１を説明する。有資格作業従事記録表示画面Ｐ１０１においては、「○月×日」の記録として、作業者の作業者ＩＤ、作業ＩＤ、当日の作業時間および通算の作業実績時間が関連づけられて表示されている。
【００９５】
このように本発明の最良の実施の形態に係る技能管理装置１によれば、ＩＣタグ等を用いて作業員の所在を把握し、有資格作業を行う場所を管理するとともに、作業者の保有資格を管理することにより、各作業者が保有する資格が必要な作業に、どの程度の時間を従事したかを実績データとして収集することができる。
【００９６】
（その他の実施の形態）
上記のように、本発明の最良の実施の形態によって記載したが、この開示の一部をなす論述及び図面はこの発明を限定するものであると理解すべきではない。この開示から当業者には様々な代替実施の形態、実施例及び運用技術が明らかとなる。
【００９７】
例えば、本発明の最良の実施の形態に記載した技能管理装置１は、図１に示すように一つのハードウェア上に構成されても良いし、その機能や処理数に応じて複数のハードウェア上に構成されても良い。
【００９８】
本発明はここでは記載していない様々な実施の形態等を含むことは勿論である。従って、本発明の技術的範囲は上記の説明から妥当な特許請求の範囲に係る発明特定事項によってのみ定められるものである。
【図面の簡単な説明】
【００９９】
【図１】本発明の最良の実施の形態に係る技能管理システムのシステム構成と、技能管理装置の機能ブロックを説明する図である。
【図２】本発明の最良の実施の形態に係る作業員位置送信装置がゲート方式の場合について説明する図である。
【図３】本発明の最良の実施の形態に係る作業員位置送信装置がアクティブタグ方式の場合について説明する図である。
【図４】本発明の最良の実施の形態に係る作業員位置送信装置が電波ポーリング方式の場合について説明する図である。
【図５】本発明の最良の実施の形態に係る技能管理装置のハードウェア構成図である。
【図６】本発明の最良の実施の形態に係る技能管理装置の作業時間データのデータ構造とデータの一例を説明する図である。
【図７】本発明の最良の実施の形態に係る技能管理装置の作業エリアデータのデータ構造とデータの一例を説明する図である。
【図８】本発明の最良の実施の形態に係る技能管理装置の工程実施計画データのデータ構造とデータの一例を説明する図である。
【図９】本発明の最良の実施の形態に係る技能管理装置の作業員データのデータ構造とデータの一例を説明する図である。
【図１０】本発明の最良の実施の形態に係る技能管理装置の技能管理データのデータ構造とデータの一例を説明する図である。
【図１１】本発明の最良の実施の形態に係る作業員位置データ取得手段による作業員位置データ取得処理の概要を説明するフローチャートである。
【図１２】本発明の最良の実施の形態に係る作業時間更新手段による作業時間更新処理の概要を説明するフローチャートである。
【図１３】本発明の最良の実施の形態に係る技能管理装置の管理対象となる作業エリアを説明する図である。
【図１４】本発明の最良の実施の形態に係る技能管理装置において、作業員の動線を説明する図である。
【図１５】本発明の最良の実施の形態に係る技能管理装置が表示する有資格作業従事記録表示画面の例である。
【符号の説明】
【０１００】
１  技能管理装置
２  作業員位置送信装置
１１  作業員位置データ取得手段
１２  作業時間更新手段
２１  作業時間データ記憶部
２２  作業エリアデータ記憶部
２３  工程実施計画データ記憶部
２４  作業員データ記憶部
２５  技能管理データ記憶部
１０１  中央処理制御装置
１０２  ＲＯＭ
１０３  ＲＡＭ
１０４  入力装置
１０５  表示装置
１０６  通信制御装置
１０７、３０  記憶装置
１０８  リムーバブルディスク
１０９  入出力インタフェース
１１０  バス
【図１】
2010097490.tif 000003
【図２】
2010097490.tif 000004
【図３】
2010097490.tif 000005
【図４】
2010097490.tif 000006
【図５】
2010097490.tif 000007
【図６】
2010097490.tif 000008
【図７】
2010097490.tif 000009
【図８】
2010097490.tif 000010
【図９】
2010097490.tif 000011
【図１０】
2010097490.tif 000012
【図１１】
2010097490.tif 000013
【図１２】
2010097490.tif 000014
【図１３】
2010097490.tif 000015
【図１４】
2010097490.tif 000016
【図１５】
2010097490.tif 000017